(57)【要約】【課題】ルアー本体の一部中空内部において自由に移動が可能な錘を収納しておき、当該プラスチックルアー遊泳時に、錘の移動によって細かな振動と音を発生するプラスチックルアーを提供すること。【解決手段】プラスチック材により釣り用餌の形態を外観的に擬似成形してなり、少なくとも一部を中空状に成形してなるルアー本体２に対し、前記ルアー本体の一部中空部内に錘３を配設してなるプラスチックルアー１において、錘が、ルアー本体の一部中空部内において回転移動可能な多面体もしくは球体形状の複数の任意点において平面状、凹状１６あるいは凸状１７に変形成形したものからなり、プラスチックルアーの遊泳時に、錘の回転移動にともなってルアー本体を微細に振動させるとともに音を発生するものからなることを特徴するプラスチックルアー。【選択図】図１
0003109463.tif 000002
【実用新案登録請求の範囲】
【請求項１】
プラスチック材により釣り用餌の形態を外観的に擬似成形してなり、少なくとも一部を中空状に成形してなるルアー本体に対し、前記ルアー本体の一部中空部内に錘を配設してなるプラスチックルアーにおいて、前記錘が、ルアー本体の一部中空部内において回転移動可能な多面体もしくは球体形状の複数の任意点において平面状、凹状あるいは凸状に変形成形したものからなり、プラスチックルアーの遊泳時に、錘の回転移動にともなってルアー本体を微細に振動させるとともに音を発生するものからなることを特徴するプラスチックルアー。
【請求項２】
前記錘が、金属製、ガラス製、石製あるいは高比重樹脂製のものからなることを特徴とする請求項１に記載のプラスチックルアー。
【請求項３】
前記ルアー本体の一部中空部内に複数個の錘を封入してなることを特徴とする請求項１あるいは請求項２に記載のプラスチックルアー。
【考案の詳細な説明】
【技術分野】
【０００１】
この考案は、釣りの際に用いるプラスチックルアーに係るものであり、特に、当該プラスチックルアーの遊泳時に、微細な振動と雑音とを発するように設計してなるプラスチックルアーの改良に関するものである。
【背景技術】
【０００２】
周知のように、一般的なプラスチックルアーは、魚の餌となる小魚、エビ、昆虫およびこれに類するものをプラスチック成形により具現化したものであリ、例えば、図１に示す実施例のもののように、小魚の形態に似せたプラスチック成形品として供され、生餌に代えて釣り糸ラインに連結して使用するものであり、釣り糸を結束するための釣り糸結束アイ、釣り針を連結するための釣り針連結アイ、重量を付加するための錘、ルアー本体に対して水受け部として機能するリップなどの各パーツを取り付けたものからなっている。
【０００３】
通常、この種のプラスチックルアーは、プラスチック成形により左半部と右半部とに分けてプラスチック成形し、この樹脂製成形品に錘（金属製、高比重樹脂製など）、釣り糸結束アイ、釣り針連結アイ、ラトル〔雑音を発生させるための小型球（ガラス製、金属製、樹脂製、その他）〕を組み込み、左半部と右半部とを接合することにより、中空部内に錘および／またはラトルを封入した状態で、各パーツを組み込んだプラスチックルアーを作っている。
【０００４】
図２は、従来の典型的なプラスチックルアー２１の構成例を示すものであって、従来のプラスチックルアー２１において、ルアー本体２２の一部中空部内に封入する錘２３やラトルは、図２に示すもののような完全球体のものであった。このように、ルアー本体の内部に封入する錘やラトルを完全球体とすることにより、当該錘やラトルをルアー本体の内部においてスムースに動かすことができるというものであった。図２において、ルアー本体２２は、中空状にプラスチック成形された成形体であり、外観的には、略魚形状を具現する頭部２４、尾部２５、背部２６、腹部２７を有するものからなっており、頭部２４の先端側には、水受け部として機能する板状のリップ２８を備えたものからなっている。
【０００５】
図２に示すプラスチックルアー２１は、ルアー本体２２におけるリップ２８の上面部分に、釣り糸ラインに連結される釣り糸結束アイ２９が設けてあり、尾部２５並びに腹部２７にそれぞれ釣り針を連結するための釣り針連結アイ３０、３１が設けてある。
【０００６】
このルアー本体２２は、内部が中空部Ｈとして形成されているものであり、前記中空部Ｈは、仕切壁３２によって第１の中空部３３および第２の中空部３４に仕切られていて、第１の中空部３３内に、完全球体状の錘２３が収納してある。
【０００７】
さらにまた、従来のプラスチックルアーにおいて、ルアー本体の一部中空部内に封入する錘やラトルは、例えば、立方体、直方体、円柱、半円柱、その他ルアーの形態に合わせたさまざまな異形状のものが使用されているが、これらの異形状の錘は完全に固定されているか、あるいは限られた個所でしか動かないように半固定状態のものであった。
【考案の開示】
【考案が解決しようとする課題】
【０００８】
そこで、この考案は、上記する従来のルアーの構成において指摘されている問題点並びに欠点を解消するべく改良したものであって、とりわけ、ルアー本体の一部中空内部において自由に移動が可能な錘を収納しておき、当該プラスチックルアー遊泳時に、錘の移動によって細かな振動と音を発生させることができるようになしたプラスチックルアーを提供しようとするものである。
【課題を解決するための手段】
【０００９】
この考案は、上記する目的を達成するにあたって、請求項１に記載の考案は、プラスチック材により釣り用餌の形態を外観的に擬似成形してなり、少なくとも一部を中空状に成形してなるルアー本体に対し、前記ルアー本体の一部中空部内に錘を配設してなるプラスチックルアーにおいて、前記錘が、ルアー本体の一部中空部内において回転移動可能な多面体もしくは球体形状の複数の任意点において平面状、凹状あるいは凸状に変形成形したものからなり、プラスチックルアーの遊泳時に、錘の回転移動にともなってルアー本体を微細に振動させるとともに音を発生するものからなるプラスチックルアーを構成するものである。
【００１０】
さらに、この考案において請求項２に記載の考案は、請求項１に記載のプラスチックルアーであって、前記錘が、金属製、ガラス製、石製あるいは高比重樹脂製のものからなることを特徴とするものである。
【００１１】
さらにまた、この考案において請求項３に記載の考案は、請求項１あるいは請求項２に記載のプラスチックルアーであって、前記ルアー本体の一部中空部内に複数個の錘を封入してなることを特徴とするものでもある。
【考案の効果】
【００１２】
この考案になるプラスチックルアーは、構造が極めて簡単であり、製造が容易であって、多量生産に適合し得る点において、経済的にも極めて有利に作用するものであり、さらに、構成部材が少ないものであるという点においても極めて実効性の高いものであるといえる。
【００１３】
さらに、この考案になるプラスチックルアーによれば、ルアー本体の一部中空部内に配した錘が、多面体もしくは球体形状の複数の任意点において平面状、凹状あるいは凸状に変形成形したものからなっていて、ルアー本体の一部中空部内において回転移動可能に構成したことにより、当該プラスチックルアー遊泳時に、錘の回転移動にともなってルアー本体を微細に振動させるとともに、音を発生することにより、釣り魚を誘い込むことができ、この点においても極めて有効に作用するものといえる。
【考案を実施するための最良の形態】
【００１４】
以下、この考案になるプラスチックルアーについて、図面に示す具体的な実施例に基づいて詳細に説明する。図１は、この考案になるプラスチックルアーの具体的な一実施例を示すものであって、図１Ａは、この考案になるプラスチックルアーの第１の実施例を示す概略的な側断面図であり、図１Ｂ１および図１Ｂ２は、ルアー本体の一部中空部内に収納する錘の異なる形態を示す概略的な側面図であり、図１Ｃは、この考案になるプラスチックルアーの第２の実施例を示す概略的な側断面図である。
【００１５】
まず、この考案になるプラスチックルアー１は、その一例において、プラスチックにより中空の略魚形状をなすルアー本体２および当該ルアー本体２の一部中空部内に収納される錘３とを含むものからなっている。前記ルアー本体２は、中空状にプラスチック成形された成形体であり、外観的には、略魚形状を具現する頭部４、尾部５、背部６、腹部７を有するものからなっており、頭部４の先端側には、水受け部として機能する板状のリップ８を備えたものからなっている。
【００１６】
図１に示す実施例になるプラスチックルアー１は、前記ルアー本体２におけるリップ８の上面部分に、釣り糸ラインに連結される釣り糸結束アイ９がが設けてあり、前記尾部５並びに腹部７にそれぞれ釣り針を連結するための釣り針連結アイ１０、１１が設けてある。
【００１７】
一方、この考案になるプラスチックルアー１におけるルアー本体２は、内部が中空部Ｈとして形成されているものであり、図１Ａに示す第１の実施例のものによれば、前記中空部Ｈは、仕切壁１２によって第１の中空部１３および第２の中空部１４に仕切られている。一方、図１Ｃに示す第２の実施例のものによれば、前記中空部Ｈは、ルアー本体２の内部を全体的に中空状にした中空部１５として形成したものであってもよい。
【００１８】
前記ルアー本体２における前記中空部Ｈには、金属製、ガラス製、石製あるいは高比重樹脂製の略球状の錘３が、当該中空部Ｈ内において回転移動可能に収納されている。この考案において、前記錘３の形状は極めて重要なものである。すなわち、この考案において、前記錘３は、多面体もしくは図１Ｂ１あるいは図１Ｂ２に示すもののように、球体形状の複数の任意点において平面状、凹状１６あるいは凸状１７に変形成形したものからなっている。
【００１９】
この考案において、前記錘３の素材としては、比較的比重が高いもののほうが、比重の低いものよりも、より大きな振動と音とを発生させることができ有利であり、前記錘３の形状としては、回転移動可能な範囲で適度にごつごつしていたほうが有利であり、前記錘３の大きさに対してルアー本体２の中空部が広いほど有利であり、さらに、ルアー本体２の中空部内に複数個の錘を収納することによてのより大きな振動と音とを発生させることができる。
【図面の簡単な説明】
【００２０】
【図１】図１は、この考案になるプラスチックルアーの具体的な一実施例を示すものであって、図１Ａは、この考案になるプラスチックルアーの第１の実施例を示す概略的な側断面図であり、図１Ｂ１および図１Ｂ２は、ルアー本体の一部中空部内に収納する錘の異なる形態を示す概略的な側面図であり、図１Ｃは、この考案になるプラスチックルアーの第２の実施例を示す概略的な側断面図である。
【図２】図２は、従来のプラスチックルアーの一構成例を示すものであって、完全球体の錘を内蔵するプラスチックルアーの概略的な側断面図である。
【符号の説明】
【００２１】
１  プラスチックルアー
２  ルアー本体
３  錘
４  魚形状体の頭部
５  尾部
６  背部
７  腹部
８  リップ
９  釣り糸結束アイ
１０、１１  釣り針連結アイ
Ｈ  中空部
１２  仕切壁
１３  第１の中空部
１４  第２の中空部
１５  全体中空部
１６  錘表面の平面、凹部
１７  錘表面の凸部
【図１】
0003109463.tif 000003
【図２】
0003109463.tif 000004